(57)【要約】【課題】スピーカ本体の振動により生ずる空気の流れを確実に筐体外部へと導く空気流路を、筐体内部に形成することにより、ヒートシンクからの放熱効率を高める。【解決手段】リアキャビネット３と一体に、上下に対向して形成された一対のリブ壁１１ａ、１１ｂから成るダクト１１を設ける。ダクト１１は、スピーカボックス８の背面開放部から開口部１０へと至る、スピーカ本体９の振動により生じる空気の流れの流路として機能するものである。そして、ヒートシンク７の放熱部を、ダクト１１内に位置するように配置する。【選択図】図３
2008294615.tif 000002
【特許請求の範囲】
【請求項１】
筐体内部に配設される背面開放のスピーカボックスと、
スピーカボックス内に配置されるスピーカ本体と、
機器から発散される熱を吸熱して放熱するヒートシンクと、
を有し、スピーカ本体の振動により生じる空気の流れを利用してヒートシンクからの発熱を促進するようにした、スピーカを内蔵した機器において、
筐体背面壁に設けた開口部と、
前記スピーカボックスの背面開放部から前記開口部へと至るダクトと、
を備え、
前記ダクト内にヒートシンクの放熱部を配置したことを特徴とするスピーカを内蔵した機器。
【請求項２】
前記スピーカボックスは、前記筐体と一体形成した囲い形状のリブ壁から成ることを特徴とする請求項１に記載のスピーカを内蔵した機器。
【請求項３】
前記ダクトは、前記筐体と一体に上下に対向して形成した一対のリブ壁から成ることを特徴とする請求項１又は２に記載のスピーカを内蔵した機器。
【請求項４】
液晶パネルを備えた液晶モジュールと、
前記液晶モジュールの背後に配設され、ＩＣ部品等の発熱部品が実装された基板と、
前記液晶パネルの表示面を臨ませたフロントキャビネットと、
前記フロントキャビネットに合体されて筐体を構成するリアキャビネットと、
前記フロントキャビネットと一体形成された囲い形状のリブ壁から成る背面開放のスピーカボックスと、
スピーカボックス内に配置されるスピーカ本体と、
前記基板上の発熱部品から発散される熱を吸熱して放熱するヒートシンクと、
を有し、スピーカ本体の振動により生じる空気の流れを利用してヒートシンクからの発熱を促進するようにした、液晶テレビジョン受像機において、
前記リアキャビネットの背面壁に開口部を設け、
前記リアキャビネットと一体に上下に対向して形成された一対のリブ壁から成り、前記スピーカボックスの背面開放部から前記開口部へと至るダクトと、
を備え、
前記ダクト内にヒートシンクの放熱部を配置したことを特徴とする液晶テレビジョン受像機。
【発明の詳細な説明】
【技術分野】
【０００１】
本発明は、スピーカ本体の振動による空気の流れを、ヒートシンクから放熱の促進に利用するスピーカを内蔵した機器、例えば、液晶テレビジョン受像機に関するものである。
【背景技術】
【０００２】
従来、スピーカを内蔵した機器では、スピーカ本体の振動による空気の流れを、ヒートシンクからの放熱の促進に利用することが知られている。
【０００３】
例えば、特許文献１には、スピーカボックスの対向面に吸気用と排気用の逆止弁をそれぞれ設け、スピーカ本体の振動により生ずるスピーカボックスの内外の圧力差を利用して逆止弁を開閉させることにより空気の流れを発生させ、吸気用の逆止弁の近傍に設けたヒートシンクから発散された熱を、スピーカボックス内を通過して筐体の外部へと放出するようにしている。
【０００４】
また、特許文献２には、スピーカ本体の振動によりスピーカボックスの穴から吸排気される空気の流れを、スピーカボックスの穴の近傍に設けたヒートシンクへ導くことにより、ヒートシンクからの放熱効率を向上させるようにしている。
【特許文献１】特開２００６−２０３６６６号公報（段落「００３０」〜「３４」、図２、図３）
【特許文献２】実開平３−７５６９１号公報（第２頁第１８行〜第３頁第１行）
【発明の開示】
【発明が解決しようとする課題】
【０００５】
しかしながら、上記の特許文献に記載された方法では、ヒートシンクから発散される熱により加熱された空気が、スピーカボックス内を通過するため、スピーカ本体の熱変形等の不具合が出るおそれがある。
【０００６】
また、特許文献２に記載された方法では、ヒートシンクへと導かれた空気の流れが、確実に筐体の外部へと排気される構成とはなっていないため、筐体内部に空気が滞留し、かえって熱が篭るおそれがあった。
【０００７】
本発明は、上記従来の課題に鑑みてなされたものであり、スピーカ本体の振動により生ずる空気の流れを確実に筐体外部へと導く空気流路を、筐体内部に形成することにより、ヒートシンクからの放熱効率を高めた、スピーカを内蔵した機器又は液晶テレビジョン受像機を提供することを目的とする。
【課題を解決するための手段】
【０００８】
上記目的を達成するために本発明の請求項１に係るスピーカを内蔵した機器は、筐体内部に配設される背面開放のスピーカボックスと、スピーカボックス内に配置されるスピーカ本体と、機器から発散される熱を吸熱して放熱するヒートシンクと、を有し、スピーカ本体の振動により生じる空気の流れを利用してヒートシンクからの発熱を促進するようにした、スピーカを内蔵した機器において、筐体背面壁に設けた開口部と、前記スピーカボックスの背面開放部から前記開口部へと至るダクトと、を備え、前記ダクト内にヒートシンクの放熱部を配置したことを特徴としている。
【０００９】
また、本発明の請求項２に係るスピーカを内蔵した機器は、請求項１に記載の機器において、前記スピーカボックスは、前記筐体と一体形成した囲い形状のリブ壁から成ることを特徴としている。
【００１０】
また、本発明の請求項３に係るスピーカを内蔵した機器は、請求項１又は２に記載の機器において、前記ダクトは、前記筐体と一体に上下に対向して形成した一対のリブ壁から成ることを特徴としている。
【００１１】
また、本発明の請求項４に係る液晶テレビジョン受像機は、液晶パネルを備えた液晶モジュールと、前記液晶モジュールの背後に配設され、ＩＣ部品等の発熱部品が実装された基板と、前記液晶パネルの表示面を臨ませたフロントキャビネットと、前記フロントキャビネットに合体されて筐体を構成するリアキャビネットと、前記フロントキャビネットと一体形成された囲い形状のリブ壁から成る背面開放のスピーカボックスと、スピーカボックス内に配置されるスピーカ本体と、前記基板上の発熱部品から発散される熱を吸熱して放熱するヒートシンクと、を有し、スピーカ本体の振動により生じる空気の流れを利用してヒートシンクからの発熱を促進するようにした、液晶テレビジョン受像機において、前記リアキャビネットの背面壁に開口部を設け、前記リアキャビネットと一体に上下に対向して形成された一対のリブ壁から成り、前記スピーカボックスの背面開放部から前記開口部へと至るダクトと、を備え、前記ダクト内にヒートシンクの放熱部を配置したことを特徴としている。
【発明の効果】
【００１２】
請求項１に係るスピーカを内蔵した機器によると、スピーカボックスの背面開放部から筐体背面に設けた開口部へと至るダクト（空気流路）を設けたので、スピーカ本体の振動により生じる空気の流れは、ダクト内を流れて開口部から筐体外部へと放出される。従って、ダクト内に配置されたヒートシンクの放熱部から放出された熱は、この空気の流れに乗って筐体外部へ放出されるため、放熱効率が向上する。
【００１３】
請求項２に係るスピーカを内蔵した機器によると、部品点数が削減され、スピーカボックスを、筐体と一体に安価に形成することができる。
【００１４】
請求項３に係るスピーカを内蔵した機器によると、部品点数が削減され、ダクトを、筐体と一体に安価に形成することができる。
【００１５】
請求項４に係る液晶テレビジョン受像機によると、スピーカボックスの背面開放部からリアキャビネットの背面壁に設けた開口部へと至るダクト（空気流路）を設けたので、スピーカ本体の振動により生じる空気の流れは、ダクト内を流れて開口部から筐体外部へと放出される。従って、ダクト内に配置されたヒートシンクの放熱部から放出された熱は、この空気の流れに乗って筐体外部へ放出されるため、放熱効率が向上する。
【発明を実施するための最良の形態】
【００１６】
以下、本発明を実施するための最良の形態について、スピーカを内蔵した機器の一例として液晶テレビジョンを挙げ、図面を参照して説明する。図１は本発明の実施の形態に係る液晶テレビジョン受像機の側面断面図であり、図２は同液晶テレビジョン受像機の正面断面図であり、図３は同液晶テレビジョン受像機の上面断面図である。
【００１７】
図１に示すように、液晶テレビジョン受像機１の筐体は、液晶パネル（不図示）の表示面を臨ませた背面開放箱形のフロントキャビネット２と、フロントキャビネット２の背面開放部に合体される前面開放箱形のリアキャビネット３と、から構成される。
【００１８】
図３に示すように、フロントキャビネット２の前面壁内面の幅方向の中央部には、液晶パネルを備えた液晶モジュール４が固定され、その背後にＩＣ部品等の発熱部品６が実装された基板５がビス等を使用して取り付けられている。基板５上には、発熱部品６から発散される熱を吸熱して放熱するヒートシンク７も実装されている。
【００１９】
図３に示すように、フロントキャビネット２の前面壁内面の幅方向の左右両端部には、液晶モジュール４の脇に、囲い形状のリブ壁８ａ、８ｂ、８ｃから成る背面開放のスピーカボックス８がそれぞれ一体に形成されている。各スピーカボックス８内には、スピーカコーンなどを含むスピーカ本体９がそれぞれ配設されている。
【００２０】
図３に示すように、リアキャビネット３の背面壁の幅方向の左右両端部には、小さな複数の丸穴から成る開口部１０がそれぞれ設けられている。この開口部１０は、放熱のための排気孔として機能するものである。
【００２１】
図１及び図２に示すように、リアキャビネット３の左右側面壁内面から背面壁内面に亘って、上下に対向して形成された一対のリブ壁１１ａ、１１ｂから成るダクト１１がそれぞれ形成されている。各ダクト１１は、スピーカボックス３８背面開放部から開口部１０へと至る、スピーカ本体９の振動により生じる空気の流れの流路として機能するものである。そして、ヒートシンク７の放熱部は、上下のリブ壁１１ａ、１１ｂの間、つまりダクト１１内に位置するように配置されている。
【００２２】
なお、上記のようにダクト１１を上下のリブ壁１１ａ、１１ｂで構成した場合には、リブ壁１１ａ、１１ｂの突端側に壁がないのでダクト１１は管形状とはならないが、リブ壁１１ａ、１１ｂの高さが十分にあるため、空気流路としての機能は満足している。
【００２３】
以上の液晶テレビジョン受像機の構成において、テレビジョン放送等を視聴する際は、液晶パネルに映像が表示されるとともに、スピーカ本外７から音声が出力される。このとき、スピーカ本体７は振動し、この振動により生じた空気の流れは、図３の矢印に示すように、上下のリブ壁１１ａ、１１ｂの間、つまりダクト１１内を流れて開口部１０から筐体外部へと放出される。従って、ダクト１１内に配置されたヒートシンク７の放熱部から放出された熱は、この空気の流れに乗って筐体外部へ放出されるため、放熱効率が向上する。
【００２４】
なお、上記実施形態では、スピーカボックス８、ダクト１１を、それぞれフロントキャビネット２、リアキャビネット３と一体に形成したが、別部材で設けてもよい。この場合、ダクト１１を管形状とし、ダクト１１の側壁の一部に窓を設けてヒートシンク７の放熱部をその窓からダクト１１の側壁を貫通してダクト１１内に位置させるようにしてもよい。
【図面の簡単な説明】
【００２５】
【図１】は、本発明の実施の形態に係る液晶テレビジョン受像機の側面断面図である。
【図２】は、本発明の実施の形態に係る液晶テレビジョン受像機の正面断面図である。
【図３】は、本発明の実施の形態に係る液晶テレビジョン受像機の上面断面図である。
【符号の説明】
【００２６】
１    液晶テレビジョン受像機
２    フロントキャビネット
３    リアキャビネット
４    液晶モジュール
５    基板
６    発熱部品
７    ヒートシンク
８    スピーカボックス
８ａ、８ｂ、８ｃ  囲いリブ
９    スピーカ本体
１０  開口部
１１  ダクト
１１ａ、１１ｂ  リブ壁
【図１】
2008294615.tif 000003
【図２】
2008294615.tif 000004
【図３】
2008294615.tif 000005